(57)【要約】【課題】筐体に対して回転可能に配置した操作リングを筐体の外部から操作可能とすることにより、完全な密閉構造を実現することが可能な操作機構およびプロジェクタ装置を提供する。【解決手段】プロジェクタ装置は、筐体の一部をなす操作リングカバー（１１）の内部に、磁性部材（３１）を備えたフォーカス調整用リング（３０）が回転可能に配置されている。操作リングカバー（１１）の外周面には、磁性部材（５３）を備えたフォーカス調整用操作レバー（５０）が着脱可能に装着されている。磁性部材（３１）と磁性部材（５３）の少なくとも一方が磁石で構成されており、フォーカス調整用操作レバー（５０）を操作リングカバー（１１）に沿って移動させることによって、フォーカス調整用リング（３０）を追従させて回転させている。【選択図】図７
2016065993.tif 000002
【特許請求の範囲】
【請求項１】
筐体と、該筐体の内部に回転可能に配置した操作リングと、該操作リングに設けた第１の磁性部材と、前記筐体を介して前記第１の磁性部材に対向可能な第２の磁性部材を有しかつ前記筐体に沿って移動可能な操作レバーを備え、前記第１の磁性部材と前記第２の磁性部材の少なくとも一方が磁石であることを特徴とする操作機構。
【請求項２】
前記第１の磁性部材が前記操作リングの径方向に移動可能に設けられていることを特徴とする請求項１に記載の操作機構。
【請求項３】
前記筐体の一部が透明体で構成され、前記筐体の内部に配置した前記操作リングの位置が目視可能であることを特徴とする請求項１または２に記載の操作機構。
【請求項４】
前記操作レバーは前記筐体から取外し可能であることを特徴とする請求項１から３のいずれか１に記載の操作機構。
【請求項５】
前記操作リングがレンズのズーム調整用リングあるいはフォーカス調整用リングであることを特徴とする請求項１から４のいずれか１に記載の操作機構。
【請求項６】
請求項１から５のいずれか１に記載の操作機構を備えたプロジェクタ装置。
【発明の詳細な説明】
【技術分野】
【０００１】
本発明は操作機構およびプロジェクタ装置に関し、詳しくは、防塵防滴に好適な操作機構およびプロジェクタ装置に関する。
【背景技術】
【０００２】
プロジェクタ装置やカメラなどの光学機器では、ズームあるいはフォーカスの調整のための操作リングが設けられており、ユーザが操作リングを回転させることによってレンズをその光軸方向にシフトできるようになっている。例えば、プロジェクタ装置では、操作リングの回転を許容するために操作リングと外観キャビネット（筐体）との間には間隙が設けられている。
【０００３】
一方、プロジェクタ装置の内部に埃や水滴が侵入すると、プロジェクタ装置のランプ部分に埃が付着することによって輝度低下を招いたり、水滴による漏電を招いたりする恐れがあった。プロジェクタ装置の防塵防滴構造としては、例えば、投射レンズと前面カバーとの間に大きな間隙を有するプロジェクタ装置では、特許文献１に開示されているように、投射レンズの胴体部にゴム状部材とプラスチック部材からなる防塵板を外嵌することによって、プロジェクタ装置内部への塵埃の侵入を防止している。また、従来から、操作リングを有する場合は、操作リングと外観キャビネットの隙間にスポンジやゴムの様な伸縮性のある素材を設けることによってプロジェクタ装置内部の密閉が試みられている。
【先行技術文献】
【特許文献】
【０００４】
【特許文献１】特開２００５−５５６４３号公報
【発明の概要】
【発明が解決しようとする課題】
【０００５】
しかしながら、特許文献１に開示されたプロジェクタ装置では、操作リングに対する塵埃侵入の防止については開示されていない。また、操作リングと外観キャビネットの隙間にスポンジやゴムの様な伸縮性のある素材を設ける場合でも、筐体に対して操作リングを可動させるためには、両者の間に若干の間隙を残す必要があることから、操作リングと外観キャビネットの隙間を完全に密閉することは困難であり、プロジェクタ装置内部への微細な埃や水滴の侵入を招いていた。
【０００６】
本発明は、これらの実情に鑑みてなされたものであり、筐体の内部に回転可能に配置した操作リングを筐体の外部から操作可能とすることにより、完全な密閉構造を実現することが可能な操作機構およびプロジェクタ装置を提供することをその目的とする。
【課題を解決するための手段】
【０００７】
上記課題を解決するために、本発明の第１の技術手段は、操作機構であって、筐体と、該筐体の内部に回転可能に配置した操作リングと、該操作リングに設けた第１の磁性部材と、前記筐体を介して前記第１の磁性部材に対向可能な第２の磁性部材を有しかつ前記筐体に沿って移動可能な操作レバーを備え、前記第１の磁性部材と前記第２の磁性部材の少なくとも一方が磁石であることを特徴とするものである。
【０００８】
第２の技術手段は、第１の技術手段において、前記第１の磁性部材が前記操作リングの径方向に移動可能に設けられていることを特徴とするものである。
【０００９】
第３の技術手段は、第１または第２の技術手段において、前記筐体の一部が透明体で構成され、前記筐体の内部に配置した前記操作リングの位置が目視可能であることを特徴とするものである。
【００１０】
第４の技術手段は、第１から第３のいずれか１の技術手段において、前記操作レバーは前記筐体から取外し可能であることを特徴とするものである。
【００１１】
第５の技術手段は、請求項１から第４のいずれか１の技術手段において、前記操作リングがレンズのズーム調整用リングあるいはフォーカス調整用リングであることを特徴とするものである。
【００１２】
第６の技術手段は、プロジェクタ装置であって、第１から第５の技術手段のいずれか１の操作機構を備えたことを特徴とするものである。
【発明の効果】
【００１３】
本発明によれば、筐体の外部に設けた操作レバーによって筐体の内部に設けた操作リングを操作することが可能なため、筐体と操作リング部との間に間隙を設ける必要がなく、外部からの塵埃や水滴の侵入を防止できる完全な防塵防滴構造を実現することが可能となる。
【図面の簡単な説明】
【００１４】
【図１】本発明のプロジェクタ装置に係る一構成例を示す外観図である。
【図２】図１に示すプロジェクタ装置の操作機構の部分を拡大した拡大図である。
【図３】図２に示す操作機構のＸ−Ｘ断面を示す断面図である。
【図４】図２に示す操作機構から操作レバーを取り外した際の図である。
【図５】図２に示す操作機構の操作リングを示す図である。
【図６】図２に示す操作機構の操作レバーを示す図である。
【図７】図２に示す操作機構の操作レバーの装着方法を説明するための図である。
【図８】本発明の操作機構に係る他の構成例を示す図である。
【図９】本発明の操作機構に係るさらに他の構成例を示す図である。
【発明を実施するための形態】
【００１５】
以下、図面を参照しながら、本発明の操作機構およびプロジェクタ装置に係る好適な実施の形態について説明する。本発明の操作機構およびプロジェクタ装置は、筐体の外部に設けた操作レバーによって筐体の内部に設けた操作リングを操作することが可能になっている。以下の説明において、本発明に係る操作機構をプロジェクタ装置に適用した場合の例について説明するが、異なる図面においても同じ符号を付した構成は同様のものであるとして、その説明を省略する場合がある。
【００１６】
（第１の実施形態）
図１は、本発明のプロジェクタ装置に係る一構成例を示す外観図であり、図２は、図１に示すプロジェクタ装置の操作機構の部分を拡大した拡大図である。また、図３は、図２に示す操作機構のＸ−Ｘ断面を示す断面図である。さらに、図４は、図２に示す操作機構から操作レバーを取り外した際の図であり、図５、図６は、それぞれ図２に示す操作機構の操作リングと操作レバーを示す図である。
【００１７】
図１、図２、図３に示すように、本実施形態に係るプロジェクタ装置１は、筐体１０、レンズ部２０、操作リングカバー１１、レンズカバー１２、操作スイッチ部１３、発光ユニット１４、レンズ部２０、フォーカス調整用リング３０、ズーム調整用リング４０、
フォーカス調整用操作レバー５０、および、ズーム調整用操作レバー６０を備えている。
【００１８】
操作スイッチ部１３は、プロジェクタ装置１の電源をオン・オフする操作や、映像を切替える操作などのユーザ操作を受け付ける部位であり、各種操作ボタンが配置されている。発光ユニット１４は内部にガス放電ランプを備えており、ガス放電ランプからの光が、透過型液晶素子、反射鏡などを介して、レンズ部２０から外部のスクリーンに投射される。投射画像を得るための光学素子としては、透過型液晶素子の代わりに、反射型液晶素子やＤＭＤ（Digital Micromirror Device）が用いられてもよい。
【００１９】
プロジェクタ装置１のレンズ部２０は、外部スクリーンに投射する画像のピントや投射画像の大きさを調整するために、光軸に沿って移動可能な複数のレンズを有している。レンズ部２０の外周部には、回動可能なフォーカス調整用リング３０およびズーム調整用リング４０が設けられており、フォーカス調整用リング３０およびズーム調整用リング４０をそれぞれ回動させることによって、所定のレンズを光軸方向に移動させて画像のピント調整および大きさの調整が可能となっている。なお、フォーカス調整用リング３０およびズーム調整用リング４０は本発明の操作リングに相当し、外径寸法が等しくなるようにアルミニウム合金、マグネシウム合金、あるいは、合成樹脂などの非磁性材料から作成されている。
【００２０】
フォーカス調整用リング３０およびズーム調整用リング４０の外周部には、フォーカス調整用リング３０およびズーム調整用リング４０と所定の間隙を介して断面円弧状の操作リングカバー１１が同軸上に設けられている。操作リングカバー１１の外周面は、後述するように、フォーカス調整用操作レバー５０およびズーム調整用操作レバー６０を装着するための装着面となっている。レンズ部２０の前面には、レンズ部２０からの投射光を通過させるための透明なレンズカバー１２が設けられている。そして、レンズ部２０、フォーカス調整用リング３０、および、ズーム調整用リング４０は、筐体１０、操作リングカバー１１、レンズカバー１２によって、完全な密閉構造とすることが可能となっている。なお、操作リングカバー１１およびレンズカバー１２は筐体１０の一部を構成している。操作リングカバー１１は合成樹脂材料などの非磁性材料から作成され、筐体１０と別体あるいは一体に構成してもよい。
【００２１】
本発明では、筐体の外部に設けた操作レバーによって筐体の内部に設けた操作リングを操作することが可能になっている。このために、フォーカス調整用リング３０およびズーム調整用リング４０の外周側には、それぞれ磁性部材３１、４１が設けられている。磁性部材３１、４１は本発明の第１の磁性部材に相当する。磁性部材３１、４１は操作リングカバー１１と接触しないように所定の間隙をあけた状態で、それぞれフォーカス調整用リング３０およびズーム調整用リング４０に固着される。
【００２２】
操作リングカバー１１の外周面には、フォーカス調整用操作レバー５０およびズーム調整用操作レバー６０が着脱自在に装着される。フォーカス調整用操作レバー５０はフォーカス調整用リング３０を回動させるためのものであり、ズーム調整用操作レバー６０はズーム調整用リング４０を回動させるためのものである。フォーカス調整用操作レバー５０は図６に示すように、操作リングカバー１１の外周面と同じ断面円弧状の摺動面５１を有するとともに、ユーザが操作可能なつまみ部５２を有している。
【００２３】
そして、摺動面５１側には、磁性部材５３が設けられている。フォーカス調整用操作レバー５０は例えば合成樹脂から形成され、磁性部材５３の表面は摺動面５１よりも若干へこんだ位置になるように設けられる。これにより、フォーカス調整用操作レバー５０を操作リングカバー１１に沿って摺動させた際に、磁性部材５３によって操作リングカバー１１に傷がつくのを防止している。なお、操作リングカバー１１の外表面およびフォーカス調整用操作レバー５０の摺動面５１には、摩擦係数を低くするためにフッ素樹脂コーティングを行ってもよい。ズーム調整用操作レバー６０は、フォーカス調整用操作レバー５０とほぼ同じ構成をしており、ズーム調整用操作レバー６０の操作リングカバー１１側の摺動面には磁性部材６３が設けられている。ここで、磁性部材５３、６３は本発明の第２の磁性部材に相当する。
【００２４】
フォーカス調整用リング３０の磁性部材３１とフォーカス調整用操作レバー５０の磁性部材５３は、少なくとも一方が磁石から構成されている。このため、フォーカス調整用操作レバー５０の磁性部材５３をフォーカス調整用リング３０の磁性部材３１に近接させた場合は、両者の間に吸引力が働き、フォーカス調整用操作レバー５０を操作リングカバー１１に沿って摺動させることによって、フォーカス調整用リング３０を追従させて回動させることが可能となる。同様に、ズーム調整用リング４０の磁性部材４１とズーム調整用操作レバー６０の磁性部材６３についても、少なくとも一方が磁石から構成されており、作用についても同様であるため説明を省略する。なお、磁性部材３１、４１および磁性部材５３、６３は各図面では円柱状の形状となっているが、角柱状のものでもよく、種々の形状のものを用いることができる。
【００２５】
図７は、図２に示す操作機構の操作レバーの装着方法を説明するための図であり、図７（Ａ）は操作レバーの装着前、図７（Ｂ）は操作レバーの装着後を示している。フォーカス調整用操作レバー５０の磁性部材５３とフォーカス調整用リング３０の磁性部材３１の少なくとも一方が磁石から構成されているために、フォーカス調整用操作レバー５０の磁性部材５３がフォーカス調整用リング３０の磁性部材３１に対向するように位置を合わせて近接させると、両者の間に作用する吸引力によって、図７（Ｂ）に示すように、フォーカス調整用操作レバー５０の磁性部材５３とフォーカス調整用リング３０の磁性部材３１とが対向した位置で、フォーカス調整用操作レバー５０が操作リングカバー１１に当接することになる。
【００２６】
そして、フォーカス調整用操作レバー５０を操作リングカバー１１に沿って図示のＡ方向あるいはＢ方向に動かすことによって、磁性部材３１と磁性部材５３との間に作用する吸引力によって、フォーカス調整用リング３０を回動することが可能になる。ズーム調整用操作レバー６０とズーム調整用リング４０の関係についても同様であるため、その説明を省略する。このように、本実施形態では、フォーカス調整用リング３０およびズーム調整用リング４０は、筐体１０、操作リングカバー１１、レンズカバー１２で囲われた空間内に位置するため、外部からの塵埃や水滴の侵入を防止できる。また、フォーカス調整用操作レバー５０あるいはズーム調整用操作レバー６０を取り外しておくと、フォーカス調整用リング３０あるいはズーム調整用リング４０の調整が不可となり悪戯を防止することができる。
【００２７】
さらに、フォーカス調整用リング３０の磁性部材３１とフォーカス調整用操作レバー５０の磁性部材５３をそれぞれ磁石で構成してもよく、この場合は、例えば、磁性部材３１と磁性部材５３のそれぞれの着磁方向を径方向とし、磁性部材３１と磁性部材５３の異極同士が対向するようにすればよい。また、ズーム調整用リング４０の磁性部材４１とズーム調整用操作レバー６０の磁性部材６３についてもそれぞれを磁石で構成してもよい。この場合、フォーカス調整用リング３０の磁性部材３１の極性とズーム調整用リング４０の磁性部材４１の極性とが逆になるようにすることにより、フォーカス調整用操作レバー５０とズーム調整用操作レバー６０の装着ミスを防止することができる。
【００２８】
（第２の実施形態）
図８は、本発明の操作機構に係る他の構成例を示す図であり、第２の実施形態の操作機構を示している。第２の実施形態では、フォーカス調整用リング３０およびズーム調整用リング４０にそれぞれ設けた磁性部材３１と磁性部材４１の取付構造が第１の実施形態と異なっており、それ以外の構成は第１の実施形態と同じである。以下では、フォーカス調整用リング３０の磁性部材３１について説明するが、ズーム調整用リング４０の磁性部材４１についても同様である。
【００２９】
図８（Ａ）に示すように、第２の実施形態では、フォーカス調整用リング３０には磁性部材３１を挿入するための孔３２が設けられており、この孔３２の中に磁性部材３１が径方向に移動可能な状態で挿入されている。磁性部材３１は径方向の中心側にフランジ３４が磁性部材３１と一体あるいは別体に設けられている。孔３１の開口部には環状の非磁性体からなるストッパ３３が設けられており、磁性部材３１が径方向外側に移動した際にフランジ３４がストッパ３３に当接することにより、磁性部材３１が孔３２から抜け出さないようになっている。
【００３０】
そして、図８（Ｂ）に示すように、操作リングカバー１１の外側にフォーカス調整用操作レバー５０を装着した際に、フォーカス調整用操作レバー５０の磁性部材５３とフォーカス調整用リング３０の磁性部材３１との間に吸引力が働くため、径方向に移動可能な磁性部材３１が磁性部材５３に引き寄せられて、磁性部材５３と対向する。その際に、磁性部材３１のフランジ３４がストッパ３３と当接し、磁性部材３１と操作リングカバー１１との間にはわずかな間隙が残るようになっている。
【００３１】
図８（Ｂ）に示すように、操作リングカバー１１の外側にフォーカス調整用操作レバー５０を装着した状態で、フォーカス調整用操作レバー５０を操作リングカバー１１に沿って摺動させることにより、フォーカス調整用リング３０が追従して回動する点は、第１の実施形態と同じである。第２の実施形態では、例えば、ストッパ３３の外周部分と穴３２の内周部分にネジを切ることによって、ストッパ３３の径方向の位置を調整することが可能である。このため、フォーカス調整用操作レバー５０を装着時における磁性部材３１と操作リングカバー１１との間隙を調整することが可能となり、各部材の組立時の組立誤差を修正することができる。また、フォーカス調整用リング３０からの突出部分が小さく構成できるため、組立時におけるフォーカス調整用リング３０の取り扱いが容易になる。
【００３２】
（第３の実施形態）
図９は、本発明の操作機構に係るさらに他の構成例を示す図であり、第３の実施形態の一構成例を示している。本発明では、フォーカス調整用リング３０あるいはズーム調整用リング４０を回動させるために、フォーカス調整用操作レバー５０あるいはズーム調整用操作レバー６０を装着する必要がある。しかしながら、フォーカス調整用リング３０あるいはズーム調整用リング４０の位置は常に同じ個所にあるとは限らないため、フォーカス調整用操作レバー５０あるいはズーム調整用操作レバー６０を取り外して再度装着する際に、フォーカス調整用リング３０あるいはズーム調整用リング４０に対する装着位置、すなわち、フォーカス調整用リング３０の磁性部材３１あるいはズーム調整用リング４０の磁性部材４１の周方向の位置が分からなくなることがある。
【００３３】
このため、第３の実施形態では、フォーカス調整用リング３０の磁性部材３１を設けた位置に対応する光軸方向外側端面にマーク３５を設けている。これにより、フォーカス調整用リング３０の回動位置が透明なレンズカバー１２を介して外部から目視可能となるため、フォーカス調整用操作レバー５０の装着が容易になる。マーク３５は、磁性部材３１がフォーカス調整用リング３０の外周面から突出しないように設けられている際に特に有効である。また、操作リングカバー１１を透明部材で構成することにより、外部から、フォーカス調整用リング３０およびズーム調整用リング４０の位置を目視できるようにしてもよい。
【００３４】
以上、本発明に係る操作機構をプロジェクタ装置に適用した場合の例について説明したが、本発明に係る操作機構は、プロジェクタ装置以外の例えばカメラなどの光学機器にも適用することができることは明らかである。
【符号の説明】
【００３５】
１…プロジェクタ装置、１０…筐体、１１…操作リングカバー、１２…レンズカバー、１３…操作スイッチ部、１４…発光ユニット、２０…レンズ部、３０…フォーカス調整用リング、３１…磁性部材、３２…孔、３３…ストッパ、３４…フランジ、３５…マーク、４０…ズーム調整用リング、４１…磁性部材、５０…フォーカス調整用操作レバー、５１…摺動面、５２…つまみ部、５３…磁性部材、６０…ズーム調整用操作レバー、６３…磁性部材。
【図１】
2016065993.tif 000003
【図２】
2016065993.tif 000004
【図３】
2016065993.tif 000005
【図４】
2016065993.tif 000006
【図５】
2016065993.tif 000007
【図６】
2016065993.tif 000008
【図７】
2016065993.tif 000009
【図８】
2016065993.tif 000010
【図９】
2016065993.tif 000011